(57)【要約】    【課題】釣竿のグリップの構造の改良。グリップに設けられたリールシート部の構造の改良により、グリップの細径化の実現。    【解決手段】この釣竿のグリップ１２はケーシングを備える。ケーシングにコア部材２５が嵌め込まれ、コア部材２５にはスライド部材４１が設けられる。コア部材２５には釣竿本体が挿通支持される。スライド部材４１は、フード部４２を備えており、釣用リールの脚部を挟持する可動フードを構成する。フード部４２は、係合凸部４５を有し、これがコア部材２５の案内溝３９に嵌め込まれる。スライド部材４１は、コア部材２５に設けられた嵌合凹部３４に嵌め込まれ、前方から後方側へスライドされながらコア部材２５に組み付けられる。環状ナット部材２３は、スライド部材４１と螺合する。【選択図】図４
2005210917.tif 000002
【特許請求の範囲】
【請求項１】
リールシート部を有するグリップ及びグリップに前後方向に沿って挿通され支持された釣竿本体を備えた釣竿であって、
上記グリップは、
釣用リールの脚部が挿入され得る開口部が設けられた筒状ケーシングと、当該筒状ケーシングの内部に嵌め込まれ、上記釣竿本体が挿通された筒状のコア部材と、当該コア部材の上記開口部が設けられた側の外周面に当接され、前後方向にスライド可能に配置されたスライド部材と、上記前後方向を回転中心軸として回転自在な状態で上記筒状ケーシングの前端部に連結され、上記コア部材を囲繞し且つ上記スライド部材の外周面と螺合する環状ナット部材とを有し、
上記リールシート部は、
上記筒状ケーシングの上記開口部の後端側に連続して形成された第１フード部と、上記スライド部材の後端部に形成された第２フード部とを有し、
上記コア部材は、薄肉化されることにより外周面に嵌合凹部が形成され、上記スライド部材は、上記第２フード部の上記嵌合凹部側に一体的に設けられ且つ前方側へ延びる嵌合片を有しており、当該嵌合片は、上記嵌合凹部にスライド自在に嵌め込まれている釣竿。
【請求項２】
上記第２フード部に係合凸部が形成されると共に当該係合凸部が前後方向への変位のみ許容された状態で係合するスライド案内溝が上記コア部材の後端部に設けられ、上記スライド部材は、上記係合凸部が上記スライド案内溝に前方から後方側に向かって嵌め込まれることによって上記コア部材と連結されており、
上記環状ナット部材の前方側から上記コア部材の先端部と螺合し、上記環状ナットを上記筒状ケーシングとの間に位置決めする固定ナット部材が設けられている請求項１に記載の釣竿。
【発明の詳細な説明】
【技術分野】
【０００１】
本発明は、釣竿本体及びこれを支持するグリップを備えた釣竿の構造、特にグリップに設けられたリールシート部の構造に関するものである。
【背景技術】
【０００２】
図７は、ルアー用の釣竿（典型的にはいわゆるバスロッド等）の構造が模式的に示された図である。同図が示すように、一般にルアー用の釣竿１は、釣竿本体２と、これを支持するグリップ３とを備えており、このグリップ３には、釣用リール４が装着されるリールシート部５が設けられている。このリールシート部５は、固定フード６及び可動フード７を備えており、これら一対のフード６、７により釣用リール４の脚部８が挟持される。これにより、釣用リール４は、グリップ３に固定される（例えば、特許文献１参照）。
【０００３】
グリップ３には、可動フード７が収容される収容室９が設けられており、この収容室９に可動フード７が挿入されている。また、グリップ３には、可動フード７を操作する操作リング１０が設けられている。操作リング１０はグリップ３に取り付けられており、グリップ３の軸方向を中心として回転自在となっている。操作リング１０の内周面には、雌ねじ１１が形成されている。また、可動フード７には雄ねじ１２が形成されており、これら雄ねじ１２及び雌ねじ１１が螺合されている。したがって、操作リング１０が回転されることにより、可動フード７は図中左右方向にスライドされ、これにより、釣用リール４の脚部８が挟持される。
【０００４】
【特許文献１】特開２００３−２７４８１２号
【発明の開示】
【発明が解決しようとする課題】
【０００５】
このように、操作リング１０によって可動フード７がスライド操作されるタイプの釣竿１では、グリップ３の外径寸法Ｄが大きくなってしまう。なぜなら、グリップ３の外径寸法Ｄは、釣竿本体２の外径寸法を基準として、これに可動フード７の肉厚寸法等が加算されて決定されるが、このとき、釣竿本体２の外径寸法は、釣竿本体２の機械的強度が確保されるために一定値以上が確保される必要があるため、必然的にグリップ３の外径寸法の最小値が一定以上に制限されてしまうからである。他方、グリップ３は、実釣において釣人が把持するものであるから、釣人にとって釣竿１の操作性が向上するためには、グリップ３の構造は、その外径寸法が小さく設定され得るものであることが望ましい。
【０００６】
そこで、本発明の目的は、グリップの構造が改良されることにより、釣竿本体の強度が確保されつつグリップの小径化が実現され得る釣竿を提供することである。
【課題を解決するための手段】
【０００７】
(1) 上記目的が達成されるため、本発明に係る釣竿は、リールシート部を有するグリップ及びグリップに前後方向に沿って挿通され支持された釣竿本体を備えた釣竿であって、上記グリップは、釣用リールの脚部が挿入され得る開口部が設けられた筒状ケーシングと、当該筒状ケーシングの内部に嵌め込まれ、上記釣竿本体が挿通された筒状のコア部材と、当該コア部材の上記開口部が設けられた側の外周面に当接され、前後方向にスライド可能に配置されたスライド部材と、上記前後方向を回転中心軸として回転自在な状態で上記筒状ケーシングの前端部に連結され、上記コア部材を囲繞し且つ上記スライド部材の外周面と螺合する環状ナット部材とを有し、上記リールシート部は、上記筒状ケーシングの上記開口部の後端側に連続して形成された第１フード部と、上記スライド部材の後端部に形成された第２フード部とを有し、上記コア部材は、薄肉化されることにより外周面に嵌合凹部が形成され、上記スライド部材は、上記第２フード部の上記嵌合凹部側に一体的に設けられ且つ前方側へ延びる嵌合片を有しており、当該嵌合片は、上記嵌合凹部にスライド自在に嵌め込まれていることを特徴とするものである。
【０００８】
この構成によれば、第１フード部が釣用リールの脚部の一方側を収容する固定フードとして機能し、スライド部材が釣用リールの脚部の他方側を収容する可動フードとして機能する。釣人が環状ナット部材を回転させることによって、環状ナット部材と螺合するスライド部材がスライドし、第２フード部が第１フード部に対して近接し、離反する。したがって、第２フード部が第１フード部に近接したときは、釣用リールの脚部は、第１フード部及び第２フード部によって挟持され、グリップに固定される。また、スライド部材の嵌合片は、コア部材に設けられた嵌合凹部に嵌め込まれているから、コア部材の肉厚寸法とスライド部材の肉厚寸法との合計寸法は、従来のものよりも小さくなる。なぜなら、嵌合凹部は、コア部材が薄肉化されることによって形成されるからである。したがって、コア部材に挿通される釣竿本体の外径寸法が従来のものと同様であっても、スライド部材と螺合する環状ナット部材の外径寸法が従来のものよりも小さくなる。
【０００９】
(2) 上記第２フード部に係合凸部が形成されると共に当該係合凸部が前後方向への変位のみ許容された状態で係合するスライド案内溝が上記コア部材の後端部に設けられ、上記スライド部材は、上記係合凸部が上記スライド案内溝に前方から後方側に向かって嵌め込まれることによって上記コア部材と連結された構造であってもよい。この場合、上記環状ナット部材の前方側から上記コア部材の先端部と螺合し、上記環状ナットを上記筒状ケーシングとの間に固定する固定ナット部材が設けられる。
【００１０】
この構成では、スライド部材は、前方から後方側に向かってコア部材に簡単に嵌め込まれ、この状態で環状ナット部材が取り付けられる。この環状ナット部材は、上記スライド部材と螺合するから、環状ナット部材が回転されることによって、スライド部材がスライドする。さらに、固定ナット部材がコアに螺合されることによって環状ナット部材が位置決め固定される。すなわち、コア部材に対してスライド部材、環状ナット部材及び固定ナット部材が組み付けられることによって、これらが簡単に組み立てられ、分解される。したがって、例えば第２フード部にゴミ等が付着した場合に、固定ナット部材がコア部材から取り外されることによって、スライド部材が簡単に取り外され、リールシート部の掃除が簡単に行われるという利点がある。
【発明の効果】
【００１１】
以上のように本発明によれば、釣竿のグリップの環状ナット部材が設けられた部分の外径寸法が小さくなるので、釣竿本体の強度が確保されつつグリップの小径化が実現され得る。その結果、釣人にとって使いやすい釣竿の設計が可能となる。
【発明を実施するための最良の形態】
【００１２】
以下、適宜図面が参照されつつ、好ましい実施形態に基づいて本発明が詳細に説明される。
【００１３】
図１は、本発明の一実施形態に係る釣竿の正面図である。
この釣竿１０は、ルアー用ワンピースタイプのものであって、釣竿本体１１と、その後端部を支持するグリップ１２とを備えている。グリップ１２には、後に詳述されるリールシート部２１が設けられている。リールシート部２１は、釣用リールの脚部を挟持し、当該釣用リールをグリップ１２に固定するものである。
【００１４】
釣竿本体１１は、単一の棒状部材からなり、グリップ１２の内部に挿通されている。本実施形態では、釣竿本体１１は単一の部材からなるが、これに限定されるものではなく、複数の部材が接続されることによって釣竿本体１１が構成されるものであってもよい。釣竿本体１１は、既知の要領で、例えば、カーボン繊維強化樹脂（プリプレグ）が所定形状に裁断され、これが筒状に巻回されることによって、円筒状の部材として構成される。また、同図が示すように、釣竿本体１１には、複数の釣糸ガイド１３〜２０が所定間隔で配置されている。これら釣糸ガイド１３〜２０は、上記リールシート部２１が設けられた側に配置されており、したがって、釣竿１０は、ベイトリールが装着されるタイプである。
【００１５】
本実施形態に係る釣竿１０の特徴とするところは、グリップ１２の構造にある。具体的には、グリップ１２は、その骨格を構成するケーシング２２を備えている。同図では図示されていないが、このケーシング２２には上記釣用リールの脚部を保持する一対のフード部が設けられている。そして、環状ナット部材２３が回転されることによって、一対のフード部（後述の固定フード４０及びフード部４２が上記脚部を挟持するが、この機構が後述される構成となっていることから、環状ナット部材２３が小径化され、その結果、グリップ１２の小径化が図られている。
【００１６】
図２は、グリップ１２の拡大斜視図である。グリップ１２は、前述のようにケーシング２２及び環状ナット部材２３とを有するが、この環状ナット部材２３とケーシング２２とは分割可能に組み立てられている。図３は、グリップ１２の要部拡大斜視図であり、環状ナット部材２３がケーシング２２から取りはずされた状態が示されている。
【００１７】
図２及び図３が示すように、グリップ１２は、ケーシング２２と、ケーシング２２の後端に設けられた肘当部２４と、ケーシング２２の前端部側に嵌め込まれ、前方に突出されたコア部材２５と、コア部材２５に嵌め込まれ且つ上記ケーシング２２の前端に設けられた環状ナット部材２３と、コア部材２５に螺合された固定ナット部材２６とを有する。
【００１８】
ケーシング２２は、例えばアルミニウム等の金属や樹脂により構成され、筒状に形成されている。ケーシング２２の上部には開口部２７が設けられており、釣用リールの脚部は、この開口部２７に挿入されるようになっている。開口部２７内には、シート部材２８が配置されており、このシート部材２８上に釣用リールの脚部が載置されるようになっている。この開口部２７の後端に連続して固定フード４０（第１フード部）が形成されている。固定フード４０は、内部に凹部が形成されており、釣用リールの脚部の後方側部分は、この凹部に収容され保持される。なお、固定フード４０の具体的形状は従来の固定フードと同様であるので、その詳しい説明は省略される。さらに、釣竿１０はベイトリールが装着されるタイプであるから、ケーシング２２の下部には、トリガ２９が一体的に形成されている。
【００１９】
肘当部２４は、円柱状に形成されており、その周面は弾性部材からなるのが好ましい。肘当部２４は、釣人が釣竿１０を操作する際に釣人の肘に当接されるものであり、釣人は安定した釣竿１０の操作が可能となる。
【００２０】
図４は、グリップ１２の要部拡大分解斜視図であり、図３においてコア部材２５、環状ナット部材２３及び固定ナット部材２６が分解された状態が示されている。
コア部材２５は、全体として筒状に形成されており、内部に上記釣竿本体１１が挿通されるようになっている。コア部材２５は、螺合部３０、保持部３１及びスライド案内部３２を備えている。コア部材２５は、例えば樹脂により一体的に形成され得るが、アルミニウム等の金属により構成されていてもよい。
【００２１】
螺合部３０は、コア部材２５の先端部により構成され、外周面に雄ねじ３３が形成されている。この螺合部３０は、固定ナット部材２６が螺合するようになっている。保持部３１は、コア部材２５の中央部に設けられた嵌合凹部３４により構成されている。この嵌合凹部３４は、コア部材２５の中央部が外側から内側に向かって薄肉化されることによって構成されている。スライド案内部３２は、コア部材２５の後端部により構成されており、上記シート部材２８（図２参照）と突き合わせられるシート部３５と、シート部３５の下方に設けられた連結部３６とを有する。
【００２２】
シート部３５の上面は平坦面に形成されており、上記シート部材２８と共に釣用リールの脚部が載置される載置面を構成する。連結部３６は、コア部材２５が上記ケーシング２２及び環状ナット部材２３と確実に位置決め状態で連結することができるように、その形状が工夫されている。本実施形態では、連結部３６は、その両側面に凸条３７が突設されていると共に、その後端面に位置決めピン３８が突設されている。凸条３７は、環状ナット部材２３側と係合すると共に（図３参照）、ケーシング２２側と係合する（図２参照）。また、位置決めピン３８は、ケーシング２２の所定部に嵌め込まれるようになっており、これにより、コア部材２５がケーシング２２の所定位置に位置決めされる。
【００２３】
図３及び図４が示すように、シート部３５と連結部３６との境界部分には、案内溝３９（スライド案内溝）が形成されている。この案内溝３９は、シート部３５の両側に設けられており、前後方向に沿って延びている。案内溝３９の内壁面は、左右方向（上記前後方向に直交する方向）内側に凹となる形状となっている。
【００２４】
コア部材２５は、スライド部材４１を備えている。スライド部材４１は、フード部４２（第２フード部）と、これに連続して形成された嵌合片４３とを有する。スライド部材４１は、コア部材２５の外周面に当接されている。具体的には、スライド部材４１は、コア部材２５の上記シート部３５が設けられた側（上記ケーシング２２の上記開口部２７が設けられた側）の外周面に当接されている。
【００２５】
フード部４２は、後端に開口を有する凹部４４（図３参照）を備えており、この凹部４４に上記釣用リールの脚部の前方側部分が挿入され保持される。なお、この凹部４４の内壁面形状は、従来のものと同様であるので、その詳しい説明は省略される。このフード部４２には、その両側面に係合凸部４５（図４参照）が設けられている。この係合凸部４５は、左右方向内側に突出するように形成されている。したがって、この係合凸部４５は、図４において矢印４６が示す方向（前後方向）に沿って案内溝３９に嵌め込まれる。これにより、フード部４２は、案内溝３９に案内されて前後方向に沿ってのみスライドすることができる。
【００２６】
嵌合片４３は、フード部４２の下方側、すなわちフード部４２の上記嵌合凹部３４側に設けられている。このため、スライド部材４１のフード部４２と嵌合片４３との間には段部４７が形成されており、嵌合片４３は、フード部４２から下方へ落ち込んでいる。嵌合片４３は、図４が示すように、円弧状に湾曲された平板からなる。嵌合片４３の曲率半径は、上記嵌合凹部３４の底面の曲率半径に対応されている。したがって、前述のようにフード部４２がシート部３５に嵌め込まれると、嵌合片４３は、コア部材２５の嵌合凹部３４に嵌め込まれ、フード部４２のスライドに伴って嵌合凹部３４内を前後方向にスライドする。すなわち、スライド部材４１は、上記釣用リールの脚部を挟持するための可動フードとして機能し、上記固定フード４０（図２参照）及びスライド部材４１のフード部４２は、釣用リールを固定するリールシート部２１を構成する。また、嵌合片４３の外周面には、雄ねじ４８が形成されている。この雄ねじ４８は、環状ナット部２３と螺合するようになっている。
【００２７】
環状ナット部材２３は、操作ナット４９及び連結環５０を備えている。操作ナット４９は、図３及び図４が示すように環状に形成されており、その内周面に雌ねじ５７（図５参照）が形成されている。連結環５０は操作ナット４９の後方に配置されており、操作ナット４９は、連結環５０に対して回動自在に設けられている。なお、本実施形態では、連結環５０に対して操作ナット４９が滑らかに回転するために、連結環５０と操作ナット４９との境界部分にスライド板５１が介在されている。このスライド板５２は、例えば樹脂により構成される。連結環５０の内壁面形状は、上記コア部材２５のスライド案内部３２の外形面形状に対応されている。このため、図３が示すように、連結環５０は、コア部材２５に隙間なく嵌め込まれ、ケーシング２２の前端に取り付けられる（図２参照）。
【００２８】
このとき、操作ナット４９は、コア部材２５に設けられたスライド部材４１と螺合する。具体的には、操作ナット４９の雌ねじ５７がスライド部材４１の雄ねじ４８と螺合する。この状態で操作ナット４９が回転されると、スライド部材４１は、前後方向にスライドすることになる。すなわち、スライド部材４１が後方へスライドされたときは、フード部４２が上記固定フード４０側へ移動し、上記釣用リールの脚部を挟持することができ、スライド部材４１が前方へスライドされたときは、フード部４２が上記固定フード４０から離反する。なお、本実施形態では、操作ナット４９の外周面には前後方向に延びる細溝５２が複数形成されている。これら細溝５２は、釣人が操作ナット４９を操作する際の滑止として機能する。
【００２９】
固定ナット部材２６は、締付ナット５３及びロックナット５４を有する。締付ナット５３は、図４が示すように、コア部材２５の先端側から当該コア部材２５に嵌め込まれ、コア部材２５の雄ねじ３３と螺合する。締付ナット５３が締め付けられることによって、環状ナット部材２３が上記ケーシング２２に締結固定される。また、ロックナット５４も同様にコア部材２５の上記雄ねじ３３と螺合する。ロックナット５４が締め付けられることによって、締付ナット５３の緩みが防止される。
【００３０】
図５は、グリップ１２の要部拡大断面図であり、図６は、図５の拡大図である。
釣竿１０は、次のようにして組み立てられる。
釣竿本体１１がコア部材２５の内部に挿通され、コア部材２５によって支持される。釣竿本体１１は、ケーシング２２を貫いて肘当部２４まで挿通されていてもよい。コア部材２５にスライド部材４１が当接される。このとき、スライド板４１は、前述のように前方から後方側に向かってスライドされながらコア部材２５に嵌め込まれる。コア部材２５の先端側から環状ナット部材２３が嵌め込まれ、操作ナット４９がスライド部材４１と螺合する。
【００３１】
ケーシング２２がコア部材２５の後方から嵌め込まれる。これにより、コア部材２５がケーシング２２に位置決めされ、環状ナット部材２３の連結環５０がケーシング２２の前端面に当接する。締結ナット５３がコア部材２５の前方から嵌め込まれ、コア部材２５と螺合される。締結ナット５３が締め付けられた後、ロックナット５４がコア部材２５に掛けられ締め付けられる。なお、締結ナット５３と操作ナット４９との間及びロックナット５４と締結ナット５３との間に、それぞれスライド板５５が介在されていてもよい。
【００３２】
図５が示すように、操作ナット４９がスライド部材４１と螺合しているから、操作ナット４９が回転されることによって、フード部４２が図中左右方向に移動する。したがって、釣用リールの脚部は、上記固定フード４０及び上記フード部４２によって挟持され、グリップ１２に固定される。
【００３３】
また、スライド部材４１の嵌合片４３は、コア部材２５の嵌合凹部３４に嵌め込まれているから、コア部材２５の肉厚寸法とスライド部材４１の肉厚寸法との合計寸法は、従来のものよりも小さくなる。すなわち、スライド部材４１が取り付けられた状態でのコア部材２５の外径寸法が従来よりも小さくなる。したがって、コア部材２５に挿通される釣竿本体１１の外径寸法が従来のものと同様であっても、スライド部材４１と螺合する操作ナット４９の外径寸法が従来のものよりも小さくなる。その結果、環状ナット部材２３の外径寸法が小さくなり、グリップ１２が細径に形成され得る。
【００３４】
特に、本実施形態では、スライド部材４１は、コア部材２５の前方から後方側に向かって簡単に嵌め込まれ、この状態で環状ナット部材２３及び固定ナット部材２６が取り付けられるので、グリップ１２の組立作業は容易である。スライド部材４１の嵌合片４３は、コア部材２５の嵌合凹部３４に嵌め込まれているから、スライド部材４１が図中右側へスライドされた場合には、図６が示すように、スライド部材４１の嵌合片４３は、コア部材２５の保持部３１とスライド案内部３２との境界部分に形成された段部５６に当接する。したがって、スライド部材４１は、グリップ１２が分解されない限りグリップ１２から外れることはない。
【００３５】
しかし、固定ナット部材２６は、コア部材２５と螺合しているのみであるから、コア部材２５から簡単に取り外される。固定ナット部材２６が取り外されることによって、環状ナット部材２３及びスライド部材４１も簡単に取り外されるので、グリップ１２の分解作業も容易である。したがって、例えばフード部４２の周辺にゴミ等が付着した場合には、グリップ１２が分解されることによってスライド部材４１が取り外されるので、リールシート部２１の清掃等のメンテナンスが容易であるという利点がある。
【００３６】
加えて、本実施形態では、スライド部材４１がコア部材２５にスライド自在に係合するのであるが、スライド部材４１に突設された係合凸部４５（図４参照）がコア部材２５に形成された案内溝３９に嵌め込まれている。すなわち、スライド部材４１がコア部材２５のシート部３５を抱えるように係合するので、スライド部材４１は、シート部３５に対して位置ずれを起こすことなく円滑にスライドする。したがって、釣用リールの脚部は、スライド部材４１のフード部４２及びケーシング２２の固定フード４０によって確実に挟持され得るという利点もある。
【産業上の利用可能性】
【００３７】
本発明は、釣用リールが装着されるタイプの釣竿に適用され得る。
【図面の簡単な説明】
【００３８】
【図１】図１は、本発明の一実施形態に係る釣竿の正面図である。
【図２】図２は、本発明の一実施形態に係る釣竿のグリップの拡大斜視図である。
【図３】図３は、本発明の一実施形態に係る釣竿のグリップの要部拡大斜視図である。
【図４】図４は、本発明の一実施形態に係る釣竿のグリップの要部拡大分解斜視図である。
【図５】図５は、本発明の一実施形態に係る釣竿のグリップの要部拡大断面図である。
【図６】図６は、図５の拡大図である。
【図７】図７は、従来のルアー用の釣竿の構造が模式的に示された図である。
【符号の説明】
【００３９】
１０・・・釣竿
１１・・・釣竿本体
１２・・・グリップ
２１・・・リールシート部
２２・・・ケーシング
２３・・・環状ナット部材
２５・・・コア部材
２６・・・固定ナット部材
２７・・・開口部
２８・・・シート部材
３０・・・螺合部
３１・・・保持部
３２・・・スライド案内部
３３・・・雄ねじ
３４・・・嵌合凹部
３５・・・シート部
３６・・・連結部
３７・・・凸条
３８・・・位置決めピン
３９・・・案内溝
４０・・・固定フード
４１・・・スライド部材
４２・・・フード部
４３・・・嵌合片
４４・・・凹部
４５・・・係合凸部
４７・・・段部
４８・・・雄ねじ
４９・・・操作ナット
５０・・・連結環
５１・・・スライド板
５３・・・締結ナット
５４・・・ロックナット
５６・・・段部
５７・・・雌ねじ
【図１】
2005210917.tif 000003
【図２】
2005210917.tif 000004
【図３】
2005210917.tif 000005
【図４】
2005210917.tif 000006
【図５】
2005210917.tif 000007
【図６】
2005210917.tif 000008
【図７】
2005210917.tif 000009